(57)【要約】【課題】安心して自動二輪車を駐輪できる建造物を提供する。【解決手段】マンション１は、積層された複数の階の各階にある住戸２を備える。住戸２の内部には、マンション１の外部に面した駐輪空間３が形成されており、駐輪空間３は居間１６に隣接している。駐輪空間３を構成すると共に外部に面した壁はガラス部材４で構成されている。駐輪空間３に、壁即ちガラス部材４を保護するガード部材５が、ガラス部材４に沿って取付けられている。マンション１には、連絡口７を介して駐輪空間３と連絡するエレベータ用通路８が形成され、エレベータかご９が、エレベータ用通路８内を移動可能にエレベータ用通路８内に配置されている。【選択図】図１
2010144393.tif 000002
【特許請求の範囲】
【請求項１】
積層された複数の階の各階にある住戸の内部に、外部に面した駐輪空間が形成され、
該駐輪空間を構成すると共に外部に面した壁は、透明部材で構成され、
前記駐輪空間に、該壁を保護する保護部材が該壁に沿って取付けられ、
前記壁に換気窓が形成される
建造物。
【請求項２】
連絡口を介して前記駐輪空間と連絡するエレベータ用通路が形成され、
前記保護部材は前記連絡口に面する
請求項１に記載の建造物。
【請求項３】
前記駐輪空間は道路に面する
請求項１または請求項２に記載の建造物。
【請求項４】
上下の階の前記駐輪空間は互いに同じ位置にある
請求項１〜３のいずれか１つに記載の建造物。
【発明の詳細な説明】
【技術分野】
【０００１】
本発明は建造物に関する。詳しくは、自動二輪車の所有者のための住居用建造物に係るものである。
【背景技術】
【０００２】
高層マンション等の高層建造物の中には、建造物の中央に形成された吹き抜け部（ボイド部）の周囲に、住戸と、住戸に通じる共用廊下が各階に回廊状に配置されているものもある。
【０００３】
また、特許文献１には、図３に示すような、駐車設備付き建造物が記載されている。即ち、特許文献１に記載の駐車設備付き建造物１０１は、ロの字型断面を有する筒状の居住棟１０４を有し、居住棟１０４は、多層状に積層されたフロアから構成され、各フロアには、複数の住戸１０２がそれぞれ居住棟１０４の外壁１０４ａに面する形で設けられている。また、特許文献１に記載の駐車設備付き建造物１０１には、居住棟１０４内部に上下方向に貫通した形のボイド部１０１ａが形成されており、ボイド部１０１ａには地上及び地下にわたる機械式の立体駐車設備１０７が、居住棟１０４との間を全境界面にわたって耐火壁１０９で防火区画された形で設けられている。
【０００４】
【特許文献１】特開平３−２８６０７４号公報
【発明の開示】
【発明が解決しようとする課題】
【０００５】
ところで、最近の賃貸アパートやマンションにこそ駐輪場が設備されているが、古い賃貸アパートや古いマンションには、それに類する設備がないのが実情である。
また、最近の賃貸アパートやマンションでも、自転車については２段式駐輪設備等があるが、自動二輪車の駐輪については特別な設備がない。その理由は概ね、居住者すべてが自動二輪車の所有者であるとは限らないので、敷地の有効活用という点に適さないからである。
【０００６】
また、自動二輪車は、自動車よりも小型かつ軽量であるため自動車よりも盗難されやすく、また、自動車のように屋根を備えていないため、降雨の影響を強く受けてしまう。また、自動二輪車の所有者は、自動二輪車の部品取付けや修理等も自分で行なうこともあるため、部品取り付けや修理等を行なうことができるスペースを求めて、マンション等の敷地とは別の場所にある倉庫を借りているのが現状である。
このような事情もあるため、自動二輪車の所有者は、安心して自動二輪車を駐輪できる建物への居住を強く希望している。
【０００７】
本発明は、以上の点に鑑みて創案されたものであり、安心して自動二輪車を駐輪できる建造物を提供することを目的とする。
【課題を解決するための手段】
【０００８】
上記の目的を達成するために、本発明の建造物は、積層された複数の階の各階にある住戸の内部に、外部に面した駐輪空間が形成され、該駐輪空間を構成すると共に外部に面した壁は、透明部材で構成され、前記駐輪空間に、該壁を保護する保護部材が該壁に沿って取付けられ、前記壁に換気窓が形成される。
【０００９】
ここで、積層された複数の階の各階にある住戸の内部に、外部に面した駐輪空間が形成されることによって、自動二輪車を風雪雨から完全に守ることができ、さらに、盗難される心配もなく、また、自動二輪車の所有者は他者を気にすることなく自動二輪車の整備を行なうことができ、住戸内で生活しながら自動二輪車を見ることができる。
また、駐輪空間を構成すると共に外部に面した壁は、透明部材で構成されることによって、建造物の外部にいる者に駐輪空間内を見せることができ、駐輪空間がショールーム化し、自動二輪車の所有者は優越感（見せてうれしい感情）を刺激される。
【００１０】
また、本発明の建造物において、連絡口を介して駐輪空間と連絡するエレベータ用通路が形成され、保護部材は連絡口に面する場合、居住者は、自動二輪車を押して建造物内の共用廊下等を移動しなくてもエレベータから直に自己の住戸へ入ることができ、さらに、エレベータ内から自動二輪車が勢いよく駐輪空間内へ入ったとしても、保護部材は連絡口に面しているので、保護部材によって壁は保護される。
【００１１】
また、本発明の建造物において、駐輪空間は道路に面する場合、道路上を移動する者に駐輪空間内を見せることができる。
【００１２】
また、本発明の建造物において、上下の階の駐輪空間は互いに同じ位置にある場合、縦１列に自動二輪車が並べられた状態を、建造物の外部にいる者に対して見せることができ、横１列に並べられた場合よりも１台１台の自動二輪車が強調され、自動二輪車の所有者はさらに優越感を刺激される。
【発明の効果】
【００１３】
本発明に係る建造物は、安心して自動二輪車を駐輪できる。
【発明を実施するための最良の形態】
【００１４】
以下、本発明の実施の形態について図面を参照しながら説明し、本発明の理解に供する。
図１は、本発明のマンションにある住戸の一例を説明する概略見取り図である。
本発明のマンション（建造物の一例である。）１は、積層された複数の階の各階にある住戸２を備える。
また、住戸２の内部には、マンション１の外部に面した駐輪空間３が形成されており、図１に示すように駐輪空間３は居間１６に隣接している。
また、駐輪空間３を構成すると共に外部に面した壁はガラス部材（透明部材の一例である。）４で構成されている。即ち、柱の部分を除いた壁は、ガラス部材４である。ここで、透明部材であれば、必ずしもガラス部材でなくてもよく、例えばアクリル部材であってもよい。
また、駐輪空間３に、壁即ちガラス部材４を保護するガード部材（保護部材の一例である。）５が、ガラス部材４に沿って取付けられている。また、自動二輪車の転倒防止のためのバーが、駐輪空間３に取付けられていてもよい。
【００１５】
また、本発明のマンション１には、連絡口７を介して駐輪空間３と連絡するエレベータ用通路８が形成され、エレベータかご９が、エレベータ用通路８内を移動可能にエレベータ用通路８内に配置されている。
また、ガード部材５は、連絡口７に面している。
自動二輪車１１を所有する居住者は、自動二輪車１１と共にエレベータかご９に載って自分が居住する住戸２まで到達すると、そのまま駐輪空間３へ自動二輪車１１と共に入る。
また、エレベータかご９のサイズは、大型の自動二輪車のサイズに合わせたオーダーサイズであり、人と自動二輪車を載せやすい広さになっている。
また、エレベータかご９内には、自動二輪車がエレベータかご９の内壁にぶつからないように、タイヤ止め（図示せず。）が設置されている。
また、マンション１の１階にあるエレベータ乗り口の扉は、セキュリティー確保のため、居住者のみが所有する鍵もしくは居住者のみが知る暗証番号によってのみ開くように設定されている。
【００１６】
また、駐輪空間３の面積は約１０ｍ２であり、自動二輪車のメンテナンスや修理等の作業を行なうのに充分な広さであるが、必ずしもこの面積に限定されるものではない。
また、図１に示すように、マンション１が建つ敷地は、道路との境界を定める道路境界線１０や、隣の敷地との境界を定める隣地境界線１２によって囲まれており、駐輪空間３は道路に面している。
【００１７】
また、住戸２の外側には屋外避難階段１３が設けられており、玄関１５は屋外避難階段１３の踊り場に面している。
また、屋外避難階段１３の踊り場に面して、自動二輪車１１の部品等を収納する部品庫１４が設けられている。
【００１８】
ここで、本発明の建造物が、積層された複数の階の各階にある住戸の内部に、外部に面した駐輪空間が形成され、駐輪空間を構成すると共に外部に面した壁は、透明部材で構成され、駐輪空間に、壁を保護する保護部材が壁に沿って取付けられ、壁に換気窓が形成されるのであれば、必ずしも本発明の建造物はマンションタイプのものでなくてもよく、アパートタイプのものでもよく、また、住戸の間取りは、３ＬＤＫや４ＬＤＫなど様々な間取りが可能である。
【００１９】
図２は、本発明のマンションの外観の一例を示す概略図である。
図２に示すように、本発明のマンション１は地上９階建てであり、１階は店舗として使用され、２〜９階は居住用として住戸２が設けられているが、必ずしもこのような構造に限定されるものではなく、地上１０階以上のマンションや地上８階以下のマンションでもよいことは勿論である。
また、各住戸２の駐輪空間３のガラス部材４には換気窓６が形成されている。
また、図２から判るように、上下の階の駐輪空間３は互いに同じ位置にある。
【００２０】
また、図１及び図２には、各階に１つの住戸しかないマンションを例として示しているが、本発明の建造物が、積層された複数の階の各階にある住戸の内部に、外部に面した駐輪空間が形成され、駐輪空間を構成すると共に外部に面した壁は、透明部材で構成され、駐輪空間に、壁を保護する保護部材が壁に沿って取付けられ、壁に換気窓が形成されるのであれば、必ずしも各階に１つの住戸のみ設けなくてもよく、例えば各階に複数の住戸が設けられてもよく、その場合、共通のエレベータや共用廊下を設けたり、エレベータ用通路の少なくとも２箇所に住戸内の駐輪空間と連絡する連絡口を形成したりしてもよい。
【００２１】
以上のように、本発明のマンション１は、積層された複数の階の各階にある住戸２の内部に、外部に面した駐輪空間３が形成されているので、自動二輪車１１を風雪雨から完全に守ることができ、さらに、盗難される心配もなく、安心して自動二輪車１１を駐輪できる。
また、本発明のマンション１は、駐輪空間３が居間１６に隣接しているので、居住者は、居間１６で生活しながら自動二輪車１１を見ることができる。
【００２２】
また、駐輪空間３を構成すると共に外部に面した壁はガラス部材４で構成されているので、マンション１の外部にいる者に駐輪空間３内を見せることができ、駐輪空間３がショールーム化し、自動二輪車の所有者は優越感を刺激される。
【００２３】
また、マンション１には、連絡口７を介して駐輪空間３と連絡するエレベータ用通路８が形成され、ガード部材５は連絡７口に面しているので、居住者は、自動二輪車を押してマンション１内の共用廊下等を移動しなくても、エレベータかご９から直に自己の住戸へ入ることができ、さらに、エレベータかご９内から自動二輪車が勢いよく駐輪空間３内へ入ったとしても、ガード部材は連絡口７に面しているので、ガード部材によって、駐輪空間３の壁即ちガラス部材４は保護される。
【００２４】
また、上下の階の駐輪空間３は互いに同じ位置にあるので、各階の駐輪空間３に自動二輪車１１が駐輪されたときには、縦１列に自動二輪車が並べられた状態を、マンション１の外部にいる者に対して見せることができ、横１列に並べられた場合よりも１台１台の自動二輪車が強調され、自動二輪車の所有者はさらに優越感を刺激される。
【図面の簡単な説明】
【００２５】
【図１】本発明のマンションにある住戸の一例を説明する概略見取り図である。
【図２】本発明のマンションの外観の一例を示す概略図である。
【図３】従来の駐車設備付き建造物を示す概略図である。
【符号の説明】
【００２６】
１    マンション
２    住戸
３    駐輪空間
４    ガラス部材
５    ガード部材
６    換気窓
７    連絡口
８    エレベータ用通路
９    エレベータかご
１０    道路境界線
１１    自動二輪車
１２    隣地境界線
１３    屋外避難階段
１４    部品庫
１５    玄関
１６    居間
【図１】
2010144393.tif 000003
【図２】
2010144393.tif 000004
【図３】
2010144393.tif 000005